(57)【要約】【課題】魚釣操作性が損なわれることを防止するとともにコストアップに繋がることもなく、ロータとスプールとの間に釣糸が侵入したときにスプール軸への糸絡みを好適に防止する。【解決手段】ハンドル５の回転操作に連動回転するロータ３を備え、ロータ３のアーム部３２に設けたラインガイド３５を介して、スプール４に釣糸を巻回する魚釣用スピニングリールにおいて、ロータ３は、アーム部３２を支持する筒部３１を備え、筒部３１の周壁面３１ａには開口部３０が形成されており、開口部３０の縁部には、筒部３１の後部側へ向けて突出する釣糸係止部３０５が設けられている構成とした。【選択図】図２
2014147321.tif 000002
【特許請求の範囲】
【請求項１】
ハンドルの回転操作に連動回転するロータを備え、前記ロータのアーム部に設けたラインガイドを介して、スプールに釣糸を巻回する魚釣用スピニングリールにおいて、
前記ロータは、前記アーム部を支持する筒部を備え、前記筒部の周壁面には開口部が形成されており、
前記開口部の縁部には、前記筒部の後部側へ向けて突出する釣糸係止部が設けられていることを特徴とする魚釣用スピニングリール。
【請求項２】
前記釣糸係止部は、前記開口部の縁部のうち前側となる前記縁部に設けられていることを特徴とする請求項１に記載の魚釣用スピニングリール。
【請求項３】
前記釣糸係止部は、舌片状であることを特徴とする請求項１または請求項２に記載の魚釣用スピニングリール。
【発明の詳細な説明】
【技術分野】
【０００１】
本発明は、魚釣用スピニングリールに関し、特に、魚釣操作中にロータとスプールとの間に釣糸が侵入するのを防止することができる糸落ち防止機能を備えた魚釣用スピニングリールに関するものである。
【背景技術】
【０００２】
一般的に、魚釣用スピニングリールは、釣糸を案内するラインローラが設けられたベール支持部材を有するアーム部、およびアーム部が連結される筒部を有して構成されるロータと、釣糸巻回胴部が設けられるスプールと、を備えている。
【０００３】
ところで、魚釣用スピニングリールは、釣糸の放出または巻き取りの一連の操作の中で、釣糸の巻き付け状態が崩れて釣糸が解れたり、張力変化、風の影響等による糸ふけ現象により釣糸の巻き付け位置が後方へずれたりすることがあり、ロータとスプールとの間に釣糸が侵入してスプール軸に釣糸が巻き込まれる糸落ち現象が発生するおそれがあった。
【０００４】
従来、このような糸落ち現象を防止するものとして、特許文献１〜４に開示された技術が知られている。
特許文献１では、釣糸の侵入を阻止する阻止体を、スプール軸に回転自在に支持し、一対のベール支持部材に軸方向移動可能に回り止め装着した技術が開示されている。
特許文献２では、ロータの突出部先端に阻止体となるリング部をネジによって固定したものが開示されている。
また、特許文献３，４では、ロータの前端外周に、環状凹部を設けたり、径方向外方に突出する阻止体を装着したりしたものが開示されている。
【先行技術文献】
【特許文献】
【０００５】
【特許文献１】実公平３−９６５６号公報
【特許文献２】実公平５−３０１４号公報
【特許文献３】特開２００２−８４９３２号公報
【特許文献４】特開２０１０−２５２７０７号公報
【発明の概要】
【発明が解決しようとする課題】
【０００６】
しかしながら、特許文献１〜３に開示された阻止体は、ロータと別部材で構成されており、また、ロータの周方向に延びる環状のものとされているため、大型化して部品コストがかかるとともに、装着工程も煩雑であった。このため、ロータ自体の重量も増加して魚釣操作性が低下するとともにコストアップの要因となるといった課題を有していた。
また、特許文献４においてロータの前端外周に環状凹部を設けたものは、環状凹部がロータの前方へ延出するスプール軸の近くであり、また、ロータの後部側に釣糸侵入を阻止する部材も設けられていないので、環状凹部を釣糸が乗り越えて侵入するおそれがあるという課題を有していた。
【０００７】
本発明は、前記課題を解決するためになされたものであり、魚釣操作性が損なわれることを防止するとともにコストアップに繋がることもなく、ロータとスプールとの間に釣糸が侵入したときにスプール軸への糸絡みを好適に防止することができる魚釣用スピニングリールを提供することを目的とする。
【課題を解決するための手段】
【０００８】
前記目的を達成するために本発明の魚釣用スピニングリールは、ハンドルの回転操作に連動回転するロータを備え、前記ロータのアーム部に設けたラインガイドを介して、スプールに釣糸を巻回する魚釣用スピニングリールにおいて、前記ロータは、前記アーム部を支持する筒部を備え、前記筒部の周壁面には開口部が形成されており、前記開口部の縁部には、前記筒部の後部側へ向けて突出する釣糸係止部が設けられていることを特徴とする。
【０００９】
この魚釣用スピニングリールによれば、筒部の周壁面に形成された開口部によりロータの軽量化を図ることができる。そして、魚釣操作中に、釣糸がロータとスプールとの間に侵入しても、筒部の周壁面上を後部側から前部側へ釣糸が移動する過程で、開口部の縁部に設けられた釣糸係止部に釣糸が引っ掛かり、釣糸係止部よりも前方へ釣糸が移動することが規制される。
【００１０】
また、本発明は、「前記釣糸係止部は、前記開口部の縁部のうち前側となる前記縁部に設けられている」ことを特徴とする。
【００１１】
この魚釣用スピニングリールによれば、開口部の前側となる縁部にて釣糸係止部により釣糸の移動が規制されるので、これよりも開口部の後側に釣糸係止部が設けられている場合に比べて、釣糸係止部に釣糸が引っ掛かり易くなり、筒部上における釣糸の移動が効果的に規制される。
【００１２】
また、本発明は、「前記釣糸係止部は、舌片状である」ことを特徴とする。
【００１３】
この魚釣用スピニングリールによれば、筒部の外周面上を後方から前方へ釣糸が移動する過程で、釣糸係止部に釣糸が引っ掛かり易くなり、筒部上における釣糸の移動が効果的に規制される。
【発明の効果】
【００１４】
本発明によれば、魚釣操作中に、釣糸がロータとスプールとの間に侵入しても、開口部の縁部に設けられた釣糸係止部に釣糸が引っ掛かり、釣糸係止部よりも前方へ釣糸が移動することが規制されるので、スプール軸への糸絡みを好適に防止することができる。これにより、魚釣操作をスムーズに行うことができる。
釣糸係止部は、筒部の周壁面に形成された開口部を利用して開口部の縁部から突出形成されているので、ロータの軽量化を図りつつ釣糸の係止機能をロータにもたせることができる。したがって、魚釣操作性の向上を図ることができるとともに、スプール軸への糸絡みを防止する機能を備えた構成においてコストダウンを図ることができる。
また、釣糸係止部は、筒部の後部側へ向けて突出しているので、釣糸が引っ掛かり易くスプール軸への糸絡みを好適に防止することができる。
なお、釣糸係止部を開口部内に収める構成とすることにより、筒部の径方向の寸法が増大するのを防止することができ、リールのコンパクト化を好適に維持することができる。
【００１５】
開口部の前側となる縁部にて釣糸係止部により釣糸の移動が規制される構成では、これよりも開口部の後側に釣糸係止部が設けられている場合に比べて、釣糸係止部に釣糸が引っ掛かり易くなり、筒部の周壁面上における釣糸の移動が効果的に規制されるので、スプール軸への糸絡みをより一層好適に防止することができる。
また、前後運動するスプールの位置によっては、開口部の縁部の前側近くで釣糸がロータとスプールとの間に侵入する場合もあり、このような場合においても釣糸係止部に釣糸が引っ掛かり易くなる。したがって、スプール軸への糸絡みをより一層好適に防止することができる。
【００１６】
また、釣糸係止部が舌片状である構成では、筒部の周壁面上を後部側から前部側へ釣糸が移動する過程で、釣糸係止部に釣糸がより一層引っ掛かり易くなり、筒部の周壁面上における釣糸の移動が効果的に規制されるので、スプール軸への糸絡みをより一層好適に防止することができる。
【図面の簡単な説明】
【００１７】
【図１】本発明の第１実施形態に係る魚釣用スピニングリールの全体構成を示す図である。
【図２】ロータの側面図である。
【図３】開口部に釣糸が挿入されて釣糸係止部に係止された状態を示す拡大側面図である。
【図４】釣糸係止部に釣糸が係止された状態を示す図２のＡ−Ａ線に沿う断面図である。
【図５】ロータとスプールとの間に釣糸が入り込むときの様子を示す説明図である。
【図６】ロータの筒部上を後部から前部に向けて釣糸が移動するときの様子を示した斜視図である。
【図７】本発明の第２実施形態に係る魚釣用スピニングリールのロータの側面図である。
【図８】開口部に釣糸が挿入されて釣糸係止部に係止された状態を示す拡大側面図である。
【図９】別体で形成した釣糸係止部を示す説明図である。
【発明を実施するための形態】
【００１８】
以下、本発明に係る魚釣用スピニングリールの実施形態について図面を参照しながら説明する。各実施形態において、同一の部分には同一の符号を付し、重複する説明は省略する。なお、以下の説明において、「前後」「上下」を言うときは、図１に示した方向を基準とする。
【００１９】
（第１実施形態）
図１に示すように、魚釣用スピニングリールは、図示しない釣竿に装着するための脚部１Ａが形成されたリール本体１と、リール本体１の前方に回転可能に設けられたロータ３と、このロータ３の回転運動と同期して前後方向移動可能に設けられたスプール４とを有している。
【００２０】
リール本体１には、図示しない軸受を介してハンドル軸２が回転可能に支持されており、その図示しない突出端部には、巻き取り操作されるハンドル５が取り付けられている。ハンドル軸２には、図示しない軸筒が、回り止めされて固定されている。この軸筒には、ロータ３を巻取駆動するための内歯が形成されたドライブギヤ６が一体的に形成されている。このドライブギヤ６は、ハンドル軸２と直交する方向に延出するとともに内部に軸方向に延出する空洞部を有する回転軸筒８のピニオンギヤ８ａに噛合している。
【００２１】
回転軸筒８は、ピニオンギヤ８ａの前側と後側において、軸受１２ａ、１２ｂを介してリール本体１に回転可能に支持されている。また、回転軸筒８はスプール４側に向けて延出しており、その先端部にロータ３がロータナット３ａを介して取り付けられている。
ピニオンギヤ８ａの前側の軸受１２ａは、その後端がピニオンギヤ８ａの前端、およびリール本体１の前端部中央に形成された凹所の支持部１ｂに突き当てられて保持されている。また、軸受１２ａは、前端が転がり式一方向クラッチ１０との間に介挿される抜け止め部材１３によって軸方向で抜け止めされている。
一方、ピニオンギヤ８ａの後側の軸受１２ｂは、ピニオンギヤ８ａの後端とリール本体１に形成された支持部１ｃとの間で挟持されることにより軸方向から固定されている。
【００２２】
一方向クラッチ１０は、ハンドル５（ロータ３）の釣糸放出方向への逆回転を防止する公知の逆転防止機構（ストッパ）を構成している。
一方向クラッチ１０は、リール本体１の下部に設けられた切換部材１１に連動しており、切換部材１１を回動操作することで、一方向クラッチ１０が作動状態と非作動状態とに切り換えられるように構成されている。この場合、切換部材１１を作動状態に切り換えることで、ハンドル５（ロータ３）の逆転方向の回転（釣糸放出方向の回転）が防止されるようになっている。
【００２３】
回転軸筒８の内部には、空洞部が形成されており、この空洞部には、摺動可能なクリアランスを有してスプール軸９が挿通支持されている。スプール軸９の後端には、スプール４（スプール軸９）を前後往復動させるための公知のスプール往復動装置１５が係合している。
【００２４】
ロータ３は、図２に示すように、略円筒状に形成された筒部３１を備えており、その外周には、略１８０°間隔おいて一対のアーム部３２が形成されている。各アーム部３２は、筒部３１の後部（リール本体１側）から径方向外方に突き出した連結部３２ａを介して筒部３１に一体形成されており、連結部３２ａから軸方向に延出している。これにより、筒部３１と各アーム部３２との間には隙間Ｓ１が形成され、この部分に、図１に示すように、スプール４のスカート部４ｃが位置するようになっている。
【００２５】
図２に示すように、一対のアーム部３２の先端には、公知のように、支持部材３３が支軸３４を中心として釣糸巻き取り位置と釣糸放出位置との間で反転可能に支持されており、一方の支持部材３３の先端部には、ラインローラ（釣糸案内部）３５が設けられている。また、両支持部材３３の間には、ベール３６が設けられており、支持部材３３が釣糸放出位置から釣糸巻き取り位置へ反転した際、釣糸をピックアップしてラインガイド３５へ案内する。なお、ベール３６は設けられない構成（ベールレスタイプ）であってもよい。
【００２６】
なお、一対のアーム部３２のうち、一方のアーム部３２の内部には、支持部材３３を釣糸巻き取り位置と釣糸放出位置との間で反転させて振り分け保持する反転保持機構（図示せず）が配設されている。また、一対のアーム部３２には、補強部材３７が設けられている。
補強部材３７は、一対のアーム部３２の側部からロータ３の筒部３１の後部に向けて延出するとともに、筒部３１に接続されている。なお、補強部材３７は、一対のアーム部３２それぞれの両側部に設けておくことが好ましく、両側部に設けられた補強部材３７は、好ましくは略同一の形状とされ、アーム部３２の側部の前部（支持部材３３が設けられる部分）から基部に向かって延出し、基部側に移行するにつれて、次第に離間する形状となっている。すなわち、両アーム部３２が対向する方向の側面視において、略ハの字型となる形状（不図示）に形成されている。
【００２７】
また、本実施形態では、補強部材３７は、図２に示すように、一対のアーム部３２間で架設された構造となっており、その中間部３７ａの内側には、ロータ３の筒部３１の後部３１ｂが接続されている。これにより、補強部材３７は、一対のアーム部３２間において、切れることなく連続形成されており、リール本体１（図１参照）側に向けて湾曲凸状となっている。
【００２８】
筒部３１の周壁面３１ａには、開口部３０が設けられている。開口部３０は、側面視で略台形状を呈しており、アーム部３２が形成される位置に対して略９０°の対向する位置に形成されている。
開口部３０は、図３に示すように、前縁部３０１と、前縁部３０１に連続する側縁部３０２，３０３と、側縁部３０２，３０３に連続する後縁部３０４と、を備えて構成されている。前縁部３０１は、側面視で直線状を呈しており、前縁部３０１の中央部には、後縁部３０４に向けて突出する舌片状の釣糸係止部３０５が設けられている。釣糸係止部３０５は、側面視で開口部３０に相似する形状を呈しており、側縁部３０２に平行な側部３０５ａと、側縁部３０３に平行な側部３０５ｂと、後縁部３０４に平行な後部３０５ｃと、を有している。
【００２９】
また、釣糸係止部３０５は、筒部３１に一体的に設けられており、図４に示すように、筒部３１の周壁面３１ａの円弧状に沿う外面３０５ｇおよび内面３０５ｎを有し、筒部３１の径方向に突出（膨出）することのない形状、つまり、開口部３０内に収まる形状とされている。
【００３０】
このような釣糸係止部３０５を開口部３０の前縁部３０１に設けることによって、図３に示すように、釣糸係止部３０５の両側方（図面上では左右両側方）には、釣糸挿入スペースＳ２，Ｓ２が形成される。この釣糸挿入スペースＳ２，Ｓ２は、図４に示すように、釣糸係止部３０５の外面３０５ｇの周方向中心を通る接線方向に、釣糸Ｌが入り込む開口Ｄ１を形成している。開口Ｄ１の大きさは、筒部３１の曲率、開口部３０の大きさ、さらには釣糸係止部３０５の大きさにもよるが、後記するように、ロータ３とスプール４との間に釣糸Ｌが侵入した際に、筒部３１上を後部側から前部側へ向けて移動してきた釣糸Ｌが両釣糸挿入スペースＳ２を通じて釣糸係止部３０５の内側（内面３０５ｎ側）に入り込む大きさとされている。
【００３１】
釣糸係止部３０５の内面３０５ｎは、図１に示すように、後方へ向かうに従い外面３０５ｇに向けて傾斜しており、後記するように、ロータ３とスプール４との間に釣糸Ｌが侵入した際に、釣糸係止部３０５の内面３０５ｎ側に釣糸Ｌを導くガイドの役割をなす。
なお、図４に示すように、側縁部３０２の角部３０２ａ、側縁部３０３の角部３０３ａ、および釣糸係止部３０５の角部３０５ｄ，３０５ｄを面取りして、釣糸挿入スペースＳ２の開口Ｄ１が広がるように構成してもよい。
【００３２】
次に、ロータ３とスプール４との間に釣糸Ｌが侵入した際の作用について説明する。
釣糸Ｌの放出または巻き取りの一連の操作の中で、図５に示すように、釣糸Ｌの巻き付け状態が崩れて釣糸Ｌが解れたり、張力変化、風の影響等による糸ふけ現象により釣糸Ｌの巻き付け位置が後方へずれて、スプール４のスカート部４ｃの後端部からロータ３へ釣糸Ｌが入り込むと、図６に二点鎖線で示すように、ロータ３の筒部３１に釣糸Ｌが巻き付く状態となる。
【００３３】
筒部３１に巻き付いた釣糸Ｌは、筒部３１の開口部３０の側縁部３０２，３０３間に亘るようにして、釣糸巻き付け時の張力（釣糸Ｌの放出時の張力）により開口部３０上を後部側から前部側へ移動する。その移動過程において、釣糸Ｌは、開口部３０上を釣糸係止部３０５に近づき、開口Ｄ１（図４参照）を通じて釣糸係止部３０５の両側方の釣糸挿入スペースＳ２，Ｓ２に入り込む。これにより、釣糸Ｌは、釣糸係止部３０５の内面３０５ｎに沿って前部側へ移動し、釣糸係止部３０５の内側（内側前端）に入り込む（図８に実線で示す釣糸Ｌを参照）。
【００３４】
ここで、開口部３０の側縁部３０２，３０３は、図３に示すように、後部側から前部側へ向けてテーパ状に広がっており（開口が周方向に広がっており）、釣糸Ｌは、側縁部３０２，３０３間に亘りつつ後部側から前部側へ移動するので、前部側へ近付くほど図４に矢印で示すようにスプール４の中心に向けて移動するようになり、釣糸係止部３０５の内側（内側前端）にスムーズに入り込むようになる。
【００３５】
このように釣糸係止部３０５の内側に釣糸Ｌが入り込むことで、釣糸Ｌは、釣糸係止部３０５に係止されて保持される。これにより、スプール軸９に釣糸Ｌが巻き込まれる糸落ち現象が防止されスプール軸９への糸絡みを好適に防止することができる。
【００３６】
なお、スプール４から外れた釣糸Ｌが、図６に一点鎖線で示すように、ロータ３の筒部３１の後部３１ｂ付近に侵入したとしても、筒部３１の後部３１ｂと補強部材３７とが接続されている構造であるので、筒部３１の内側へ釣糸Ｌが入り込むことが阻止され、筒部３１の周壁面３１ａ上に好適に釣糸Ｌが導かれる。これにより、釣糸係止部３０５によりスプール軸９に釣糸Ｌが巻き込まれる糸落ち現象が防止される。
【００３７】
以上説明した本実施形態の魚釣用スピニングリールによれば、筒部３１の周壁面３１ａに形成された開口部３０によりロータ３の軽量化を図ることができる。そして、魚釣操作中に、釣糸Ｌがロータ３とスプール４との間に侵入しても、筒部３１の周壁面３１ａ上を後部側から前部側へ釣糸Ｌが移動する過程で、開口部３０の前縁部３０１に設けられた釣糸係止部３０５に釣糸Ｌが引っ掛かり、釣糸係止部３０５よりも前方へ釣糸Ｌが移動することが規制される。したがって、スプール軸９への糸絡みを好適に防止することができる。
【００３８】
また、釣糸係止部３０５は、後部側へ向けて突出して開口部３０内に収まっているので、釣糸係止部３０５を設けることによって筒部３１の径方向の寸法が増大することもなく、ロータ３やスプール４周りのコンパクト化、しいてはリール全体のコンパクト化を好適に維持することができる。
【００３９】
また、釣糸係止部３０５は、開口部３０の縁部のうち前側となる前縁部３０１に設けられているので、これよりも開口部３０の後部側に釣糸係止部３０５が設けられている場合に比べて、釣糸係止部３０５に釣糸Ｌが引っ掛かり易くなり、筒部３１の周壁面３１ａ上における釣糸Ｌの移動が効果的に規制されるので、スプール軸９への糸絡みをより一層好適に防止することができる。
また、前後運動するスプール４の位置によっては、開口部３０の前縁部３０１近くで釣糸Ｌがロータ３とスプール４との間に侵入する場合もあり、このような場合においても釣糸係止部３０５に釣糸Ｌが引っ掛かり易くなる。したがって、スプール軸９への糸絡みをより一層好適に防止することができる。
【００４０】
また、釣糸係止部３０５が舌片状であるので、筒部３１の周壁面３１ａ上を後部側から前部側へ釣糸Ｌが移動する過程で、釣糸係止部３０５に釣糸Ｌがより一層引っ掛かり易くなり、筒部３１の周壁面３１ａ上における釣糸Ｌの移動が効果的に規制されるので、スプール軸９への糸絡みをより一層好適に防止することができる。
【００４１】
なお、本実施形態では、釣糸係止部３０５が前縁部３０１に設けられた例を示したが、これに限られることはなく、例えば、側縁部３０２，３０３から開口部３０内の後部側ヘ向けて突出するように設けてもよい。この場合、釣糸係止部３０５は、移動してきた釣糸Ｌが引っ掛かるようにして係止される形状のものであればよく、舌片状、鉤形形状等、種々の形状のものを採用することができる。
【００４２】
（第２実施形態）
図７，８を参照して第２実施形態の魚釣用スピニングリールについて説明する。
本実施形態では、図７，８に示すように、第１実施形態とは異なる形状の開口部３０Ａを有している。
開口部３０Ａは、側面視で略Ｖ字形状を呈する前縁部３０１Ａと、前縁部３０１Ａに連続する直線状の側縁部３０２Ａ，３０３Ａと、側縁部３０２Ａ，３０３Ａに連続する円弧状の後縁部３０４Ａと、を備えて構成されている。前縁部３０１Ａは、開口部３０Ａ内を後部側へ向けて突出形成されており、第１実施形態で説明した釣糸係止部３０５と同様の役割をなすものである。
【００４３】
前縁部３０１Ａの突出端３０６は、前縁部３０１Ａと側縁部３０２Ａ，３０３Ａとの角部３０７，３０７よりも、後側に位置しており、これによって前縁部３０１Ａと側縁部３０２Ａ，３０３Ａとの間（前縁部３０１Ａの両側方）には、釣糸挿入スペースＳ２，Ｓ２が形成されている。なお、図示はしないが、釣糸挿入スペースＳ２，Ｓ２は、前縁部３０１Ａの外面３０１ａの周方向中心を通る接線方向に、釣糸Ｌが挿入される開口Ｄ１（不図示）を形成している。
本実施形態においても、開口Ｄ１の大きさは、筒部３１の曲率、開口部３０Ａの大きさ、さらには前縁部３０１Ａの突出大きさにもよるが、ロータ３とスプール４との間に釣糸Ｌが侵入した際に、筒部３１上を後部側から前部側へ向けて移動してきた釣糸Ｌが両釣糸挿入スペースＳ２を通じて前縁部３０１Ａの内側（内面側）に入り込む大きさとされている。
【００４４】
本実施形態の魚釣用スピニングリールによれば、前記第１実施例で説明した作用効果と同様の作用効果を奏する。すなわち、開口部３０Ａによりロータ３の軽量化を図ることができるとともに、魚釣操作中に、釣糸Ｌがロータ３とスプール４との間に侵入しても、筒部３１の周壁面３１ａ上を後部側から前部側へ釣糸Ｌが移動する過程で、開口部３０Ａの前縁部３０１に釣糸Ｌが引っ掛かり、前縁部３０１Ａよりも前方へ釣糸Ｌが移動することが規制される。したがって、スプール軸９への糸絡みを好適に防止することができる。
【００４５】
なお、本実施形態では、開口部３０Ａの形状がよりシンプルになるとともに、ロータ３の筒部３１のデザイン性の向上を図ることができる。
【００４６】
前記第１実施形態において、釣糸係止部３０５は、筒部３１に一体的に設けたが、これに限られることはなく、図９に示すように、別体で形成してもよい。
図９において、釣糸係止部３０５は、枠体４０に一体的に設けられている。枠体４０は、筒部３１に形成された開口部３０Ｂに対応した形状を有しており、開口部３０Ｂの前縁部３０１、側縁部３０２，３０３、および後縁部３０４に対応する形状の前縁部４０１、側縁部４０２，４０３、および後縁部４０４を有している。釣糸係止部３０５は、前縁部３０１から枠内の後部側へ向けて突出形成されている。
【００４７】
開口部３０Ｂへの枠体４０の取り付けは、接着剤等により行うことができる。なお、枠体４０は、開口部３０Ｂに取り付けられた状態で、開口部３０Ｂから径方向に突出することがなく、開口部３０Ｂの後部側から前部側へ向けて移動する釣糸Ｌの移動を妨げないようになっている。したがって、このような構成によっても、釣糸係止部３０５に好適に釣糸Ｌを引っ掛けて係止することができ、スプール軸９への糸絡みを好適に防止することができる。
【００４８】
なお、このような枠体４０で構成することにより、既存の開口部３０Ｂのみを有する魚釣用スピニングリールに対して、後付けで、釣糸係止部３０５を構成することができる。
【００４９】
また、釣糸係止部３０５は、枠体４０に設けられたものに限られることはなく、釣糸係止部３０５自体に開口部３０Ｂの前縁部３０１に装着可能な係合部を設けて、開口部３０Ｂに釣糸係止部３０５が設けられるようにしてもよい。
【００５０】
また、開口部３０，３０Ａ，３０Ｂは、前記実施形態で示した形状のものに限られることはなく、釣糸係止部３０５（前縁部３０１Ａ）を有して釣糸Ｌを係止することのできるものであれば、種々の形状のものを採用することができる。
また、開口部３０，３０Ａ，３０Ｂは、筒部３１の周方向における適宜位置の周壁面３１ａに形成することができ、また、形成する数も限定されない。さらに、釣糸係止部３０５の形状は、釣糸Ｌを係止可能なものであればよく、形状や数も限定されない。
【００５１】
また、釣糸係止部３０５は、開口部３０，３０Ａ，３０Ｂ内に収める構成としたが、開口部３０，３０Ａ，３０Ｂから径方向外側へ突出するように構成してもよい。このように構成することによって、釣糸Ｌがより引っ掛かり易くなり、スプール軸９への糸絡みをより一層好適に防止することができる。
【符号の説明】
【００５２】
１      リール本体
３      ロータ
４      スプール
３０，３０Ａ，３０Ｂ    開口部
３２    アーム部
３５    ラインガイド
３０１  前縁部
３０５  釣糸係止部
【図１】
2014147321.tif 000003
【図２】
2014147321.tif 000004
【図３】
2014147321.tif 000005
【図４】
2014147321.tif 000006
【図５】
2014147321.tif 000007
【図６】
2014147321.tif 000008
【図７】
2014147321.tif 000009
【図８】
2014147321.tif 000010
【図９】
2014147321.tif 000011